【事件の表示】
　特願２００１−３５４０９８「画像形成装置」拒絶査定不服審判事件〔平成１５年　５月３０日出願公開、特開２００３−１５８５９６〕について、次のとおり審決する。
【結　論】
　本件審判の請求は、成り立たない。
【理　由】
１．手続の経緯
　本願は、平成１３年１１月２０日の出願であって、平成１８年４月２５日付けで拒絶査定がなされ、これに対し、同年６月１日に拒絶査定に対する審判請求がなされるとともに、同年６月２２日付けで手続補正がなされたものである。
　
２．平成１８年６月２２日付けの手続補正についての補正却下の決定
[補正却下の決定の結論]
　平成１８年６月２２日付けの手続補正を却下する。
[理由]
（１）補正後の本願発明
　本件補正により、特許請求の範囲の請求項１は、
「原稿の画像を読取る画像読取手段と、画像データに基づいて画像を形成する画像形成手段と、表示装置と、操作部とを有する画像形成装置であって、
　各種設定を受け付けるための操作画面として、基本画面か応用画面のいずれの画面を前記表示装置に表示させるかをユーザコード毎に個別に登録する第１の手段と、
　前記操作部からユーザコードが入力された後、基本画面に追加するキーが選択された場合に、入力されたユーザコードと対応させて、前記選択されたキーが追加された基本画面を表示させるための
画面情報
第２の
　前記操作部からユーザコードが入力された場合に、前記表示装置に、そのユーザコードと対応して登録されている情報に従った操作画面を表示させる
第３の
　
前記第２の手段が、既に対応する画面情報が登録済みのユーザコードについてその登録済みの画面情報の変更を行う場合に、その登録済みの画面情報ではなく前記基本画面を基に前記追加するキーの選択を受け付ける手段を有する
　上記補正は、請求項１に記載した発明を特定するために必要な事項について限定を付加するものであって、平成１８年改正前特許法第１７条の２第４項第２号の特許請求の範囲の減縮を目的とするものに該当する。
　そこで、本件補正後の前記請求項１に記載された発明（以下、「本願補正発明」という）が特許出願の際独立して特許を受けることができるものであるか（平成１８年改正前特許法第１７条の２第５項において準用する同法第１２６条第５項の規定に適合するか）について以下に検討する。
　
（２）刊行物
ア　原審拒絶理由で引用された、本願の出願日前である平成１０年３月２４日に頒布された「特開平１０−７９８１９号公報」（以下、「刊行物１」という）は、「複合機」に関するものであって、その公報には次の事項が記載されている。
（ア）　「コピー／ファクシミリ／プリンタ機能等の各種機能を備え、該各種機能に基づいたジョブの指示をユーザインターフェース入出力画面を用いて行う複合機において、前記識別コードを操作入力する操作入力手段と、前記識別コードと該識別コードに対応するユーザあるいはグループによって予め編集されたユーザインターフェース入出力画面の初期画面との関係を記憶管理する初期画面管理テーブルと、前記初期画面管理テーブルを参照して、前記操作入力手段から入力された識別コードに対応する初期画面を表示する表示制御手段とを具備したことを特徴とする複合機。」（２頁【請求項１０】）
　
（イ）　「次に、図３を参照して、操作表示部２の概観構成について説明する。図３において、操作表示部２は、ＬＣＤ（液晶ディスプレイ）等によって実現され、表示された所定の領域を指で直接触れることによって所望の選択指示を行うことができる表示部２５及びテンキーや各種機能キーによって実現される操作部２４から構成され、複合機ＣＭを操作するコントロールパネルとしての機能を有する。
表示部２５には、ＧＵＩ画面が表示出力され、このＧＵＩ画面を選択指示することにより、各種の機能を選択指示することができる。このＧＵＩ画面の詳細については後述する。
操作部２４には、コピー機能、ファクシミリ機能、及びその他の特殊ジョブを選択するメニュー画面と、コピー機能の選択に関するコピー画面と、ファクシミリ機能の選択に関するファクス画面との表示を切り替える機能切替ボタンＢ１、選択設定したジョブを起動させるスタートボタンＢ２、初期画面に切り替えるオールクリアボタンＢ３、ジョブを中止させるストップボタンＢ４、及びテンキーが設置されている。」（４頁段落【００２７】ないし４頁段落【００２９】）
　
（ウ）　「次に、図１１を参照して、初期画面管理テーブル９ｃの内容の一例について説明する。図１１において、初期画面管理テーブル９ｃは、管理番号、識別コード、実行可能ジョブ種別、初期画面、及び表示カテゴリーの各項目に対する情報が記憶管理される。
実行可能ジョブ種別は、識別コードに対応して実行することができるジョブの種類を示し、「ＡＬＬ」はコピー機能及びファクシミリ機能の両機能を実行することができ、「ＣＯＰＹ」はコピー機能のみ、「ＦＡＸ」はファクシミリ機能のみをそれぞれ実行できることを示している。
識別コードは、ここでは「０？？」のように２桁の場合には、コピー機能及びファクシミリ機能の両機能を実行可能とし、「１？？」のように百の位が「１」で始まる場合には、コピー機能のみを実行可能とし、「２？？」のように百の位が「２」で始まる場合には、ファクシミリ機能のみを実行可能としている。また、複合機のメンテナンスを行う管理者はそれ以外、例えば「３？？」のような数字として割り当てられている。
また、初期画面の項目で、「Ｎｕｌｌ」となっているのは、各識別コードに対応して実行できる機能が、コピー機能のみ、あるいはファクシミリ機能のみであり、初期画面としては、それぞれコピー画面、あるいはファクシミリ画面のみが自動的に割り当てられるからである。また、実行可能ジョブ種別が「ＡＬＬ」の場合には、メニュー画面、コピー画面、ファクス画面の３つの画面が初期画面として設定することができるが、例えば識別コード「０２３」に対しては、コピー画面を初期画面として設定し、識別コード「０４５」に対しては、ファクス画面を、識別コード「３００」に対しては、メニュー画面を、それぞれ初期画面として設定している。
さらに、表示カテゴリーは、上述したように、コピー画面でも、基本コピー画面、お好みコピー画面、及びコピー機能一覧画面の３つの種類の画面があるため、そのうちのどの種類のコピー画面を初期画面として表示するかを割り当てている。
このように、初期画面管理テーブル９ｃには、各識別コードに対応した初期画面が予め設定されている。この初期画面の設定は、ある識別コードのグループでは、ほとんどコピー機能のみを使用し、また、ある識別コードのグループでは、ほとんどファクシミリ機能のみを使用するという、これまでの経験上あるいは過去の使用状況をもとに行われる。」（５頁段落【００３３】ないし【００３８】、図１１）
　
（エ）　「次に、図２０及び図２１を参照して、識別コード毎にカスタマイズした初期画面の一例について説明する。
図２０は、特定の識別コードをもつユーザがカスタマイズした初期画面を示し、この初期画面は、コピー機能の選択ボタンを上段に、ファクシミリ機能の選択ボタンを下段に設定し、コピー機能とファクシミリ機能との２つの機能を１つの画面上に設けたものであり、この初期画面に対応する識別コードをもつ磁気カードが部門管理部７に挿入されると、図２０に示す画面が初期画面として表示される。図２０に示す初期画面では、上段に「用紙トレイ」、「拡大縮小」、「コピー濃度」の３つの選択ボタンを設定し、下段に「送信画質」、「通信モード」、「送信濃度」の３つの選択ボタンを設定している。
（中略）
従って、磁気カードに記憶された識別コードの読み取りによって、この識別コードのユーザによってカスタマイズされた初期画面が該識別コードに対応して表示されるので、初期画面をカスタマイズしておくことにより、個別的な対応を行うことができる。」（７頁段落【００６６】ないし【００６９】、図２０，２１）
　
（オ）　「この初期画面のカスタマイズについて図２２から図２５を参照して説明する。図２２は、図６に示すコピー機能のお好みコピー画面等を設定するＧＵＩ画面を示し、６つのお好みキー（ボタン）を有している。
初期画面をカスタマイズする場合は、メニュー画面上の「仕様設定」ボタンを選択することにより行うことができ、この「仕様設定」ボタンの押下により、図２３に示すコピー画面設定画面が開かれる。図２３に示すコピー設定画面では、現在の設定状態が示され、この設定状態におけるお好みボタンの設定変更は、所望の項目を選択し、かつ確認／変更ボタンを押下することにより行われる。
例えば、項目１の「お好み機能１（上・左）」が選択し、確認／変更ボタンを押下すると、図２４に示す画面が表示される。図２４において、現在設定されている機能は「用紙トレイ」である。従って、お好みコピー画面上の６つのボタンのうちの上・左に位置するお好みボタンの機能を、図２４に示されたいづれかを選択することにより、該選択された機能がお好みボタンとして設定される。
同様にして、ファクス画面設定画面の項目４「お好み機能４（下・左）」を選択し、確認／変更ボタンを押下すると、図２５に示す画面が表示され、送信画質を選択することにより、図２０の左・下の選択ボタンが設定される。
この初期画面のカスタマイズにおいて、識別コードが読み取られていることが前提となるのはもちろんであり、このカスタマイズされた初期画面の設定終了に伴い、この初期画面と識別コードとが関連づけられて記憶されることになる。なお、上述した実施の形態では、識別コードが記憶された磁気カードの挿入時に読み取られる該識別コードに対応した初期画面が表示されることを主として説明したが、これに限らず、操作部のテンキー等から直接識別コードを入力するようにしてもよく、さらには、パスワードの入力を強要するようにしてもよい。」（７頁段落【００７１】ないし【００７６】、図２０ないし２５）
　
　してみると、刊行物１には、以下の発明（以下「刊行物１発明」という）が記載されていると認められる。
「コピー／ファクシミリ／プリンタ機能等の各種機能を有し、表示部、操作部を有し、
　特定の識別コードをもつユーザがカスタマイズした初期画面に対応する識別コードをもつ磁気カードが部門管理部７に挿入されるか操作部のテンキー等から直接識別コードが入力されると、画面が識別コードをもつユーザがカスタマイズした初期画面として表示され、磁気カードに記憶された識別コードの読み取りによって、この識別コードのユーザによってカスタマイズされた初期画面が該識別コードに対応して表示され、初期画面をカスタマイズしておくことにより、個別的な対応を行い、
　初期画面をカスタマイズする場合は、メニュー画面上の「仕様設定」ボタンの押下により開かれるコピー設定画面では、現在の設定状態が示され、この設定状態におけるお好みボタンの設定変更は、所望の項目を選択し、かつ確認／変更ボタンを押下することにより行われるものであり、
　この初期画面のカスタマイズにおいて、識別コードが読み取られていることが前提で、このカスタマイズされた初期画面の設定終了に伴い、この初期画面と識別コードとが関連づけられて記憶される
　画像形成装置」
　
イ　また、原審拒絶理由で引用された、本願の出願日前である平成８年１１月２２日に頒布された「特開平８−３０７５７０号公報」（以下、「刊行物２」という）は、「画像形成装置」に関するものであって、その公報には、次の事項が記載されている。
（ア）　「液晶，蛍光表示管等による表示素子を用いて設定された転写紙の給紙カセット情報等のコピー動作に関する機能の情報を表示する表示手段と、該手段の表示面上に透明シート状のマトリクスタッチスイッチとして重ねられ、表面がタッチされた時にそのタッチ位置を検知するタッチ位置検知手段と、該手段による検知位置に応じた機能を設定する機能設定手段とを備えた画像形成装置において、前記表示手段にいくつかの基本となる限られた機能を設定可能にする簡易画面と該簡易画面で設定可能な機能を含む全ての機能を設定可能な標準画面とを表示させる画面表示制御手段と、その簡易画面と標準画面を切り換える画面切換手段とを設けたことを特徴とする画像形成装置。」（２頁【請求項１】）
　
（イ）　「請求項１記載の画像形成装置において、ユーザを識別するためのユーザコードを設定する手段と、該手段によって設定された各ユーザコード毎に前記簡易画面又は前記標準画面のいずれか一方の表示画面を設定する手段と、前記設定された各ユーザコードのいずれかと一致するユーザコードが入力された場合にのみ当該装置の使用を許可し、そのユーザコードに対して設定された表示画面を初期画面として前記表示手段に表示させる手段とを設けたことを特徴とする画像形成装置。
 請求項５記載の画像形成装置において、前記設定された各ユーザコード毎に前記標準画面の使用可否を設定する手段と、前記表示手段に初期画面が表示された後、前記入力されたユーザコードに対して前記標準画面が使用不可と設定されている場合には、前記画面切換手段による前記簡易画面から前記標準画面への切り換えを禁止する手段とを設けたことを特徴とする画像形成装置。」（２頁【請求項５】【請求項６】）
　
（ウ）　「この発明は上記の点に鑑みてなされたものであり、操作部の一部の機能設定キーを隠す開閉可能な隠し扉を使用することなく、画像形成内容やユーザの習熟度に合った機能設定を行なえるようにすることを目的とする。」（３頁【０００６】）
　
（エ）　「次に、暗証モード，初期（デフォルト）画面，標準画面使用可否をそれぞれ設定する場合のユーザによる操作手順と複写機の制御部による処理について、図２３〜図２８も参照して説明する。
電源が投入されている時に、例えばユーザが図６のモードクリア・予熱／タイマキー２３３を押下した後、クリア／ストップキー２４０を連続（例えば５秒間）押下すると、制御部はユーザプログラムモードを設定し、ＬＣＤ２３９の表示画面を図２３に示すユーザプログラムモード画面に切り換える。この画面は、実際には図２３〜図２５に示すようにＬＣＤ２３９の複数画面分あり、上矢印キー２９１又は下矢印キー２９２により全画面をスクロール表示させることができる。
そして、このユーザプログラムモード画面の表示時に、ユーザがその画面上の項目番号（５）キー２９３を押下すると、制御部はＬＣＤ２３９の表示画面を図２６に示す操作部仕様設定画面に切り換え、ユーザがその画面上の暗証モード設定キー２９４を押下すると、制御部は暗証モードを設定してＬＣＤ２３９の表示画面を図２７に示すユーザコード（ユーザを識別するためのコード）入力画面に切り換える。
このユーザコード入力画面の表示時に、ユーザがテンキー２３２によってユーザコードを入力し、エンタ（＃）キー２９５を押下すると、制御部は後述する初期画面表示処理を行なう。また、操作部仕様設定画面の表示時に、ユーザがその画面上の暗証モード解除キー２９６を押下すると、制御部は暗証モードを解除する。
一方、ユーザプログラムモード画面の表示時に、ユーザが項目番号（９）キー２９７を押下すると、制御部はＬＣＤ２３９の表示画面を図２８に示すユーザコード設定画面に切り換え、ここでユーザがテンキー２３２によってユーザコード（例えば６桁の数字）を入力すると共に、簡易画面キー２９８又は標準画面キー２９９と標準画面使用可キー３００又は標準画面使用不可キー３０１を押下し、最後にエンタキー２９５を押下すると、制御部は以下の処理を行なう。
すなわち、入力されたユーザコードを設定した後、簡易画面又は標準画面のいずれか一方の表示画面を初期画面として設定し、さらに標準画面の使用可否を設定する。なお、暗証モードを設定した後は、電源が遮断された後再び投入された時に、ＬＣＤ２３９にユーザコード入力画面を表示する。また、暗証モードの設定中は設定されているユーザコードと一致するユーザコードが入力されない限り、この複写機を使用することができない。」（１１頁段落【０１０２】ないし１２頁段落【０１０７】、図２３ないし２８）
　
　してみると、刊行物２には、以下の発明（以下「刊行物２発明」という）が記載されていると認められる。
「画像形成内容やユーザの習熟度に合った機能設定を行なえるようにする画像形成装置であって、ユーザを識別するためのユーザコードを設定する手段と、該手段によって設定された各ユーザコード毎に前記簡易画面又は前記標準画面のいずれか一方の表示画面を設定する手段とを設けており、そのユーザコードに対して設定された表示画面を初期画面として前記表示手段に表示させる手段とを設け、入力されたユーザコードを設定した後、簡易画面又は標準画面のいずれか一方の表示画面を初期画面として設定し、ユーザコード入力画面の表示時に、ユーザがテンキーによってユーザコードを入力し、エンタキーを押下すると、制御部は初期画面表示処理を行なう画像形成装置」
　　
（３）対比・判断
ア　本願補正発明と刊行物１に記載された発明（以下、「刊行物１発明」という）との対比
　本願補正発明と刊行物１発明を対比すると、
（ア）刊行物１発明の「ファクシミリ」「コピー」はそれぞれ本願補正発明の「原稿の画像を読取る画像読取り装置」「画像データに基づいて画像を形成する画像形成手段」に相当し、刊行物１発明にも表示装置、操作部が存在するので、本願補正発明と刊行物１発明とは、「原稿の画像を読取る画像読取手段と、画像データに基づいて画像を形成する画像形成手段と、表示装置と、操作部とを有する画像形成装置」である点で一致している。
　また、刊行物１発明は、特定の識別コードをもつユーザがカスタマイズした初期画面に対応する識別コードをもつ磁気カードが部門管理部７に挿入されるか操作部のテンキー等から直接識別コードが入力されると、画面が識別コードをもつユーザがカスタマイズした初期画面として表示され、磁気カードに記憶された識別コードの読み取りによって、この識別コードのユーザによってカスタマイズされた初期画面が該識別コードに対応して表示されるので、初期画面をカスタマイズしておくことにより、個別的な対応を行うことができるものであり、
　初期画面をカスタマイズする場合は、メニュー画面上の「仕様設定」ボタンの押下により開かれるコピー設定画面では、現在の設定状態が示され、この設定状態におけるお好みボタンの設定変更は、所望の項目を選択し、かつ確認／変更ボタンを押下することにより行われるものであり、
　この初期画面のカスタマイズにおいて、識別コードが読み取られていることが前提となるのはもちろんであり、このカスタマイズされた初期画面の設定終了に伴い、この初期画面と識別コードとが関連づけられて記憶されるものであるから、本願補正発明と刊行物１発明とは、「前記操作部からユーザコードが入力された後、入力されたユーザコードと対応させて、画面情報を登録する手段」を有する点、及び「前記操作部からユーザコードが入力された場合に、前記表示装置に、そのユーザコードと対応して登録されている情報に従った操作画面を表示させる手段」を有する点で一致している。
（イ）そして本願補正発明における「手段」について、「第１の」「第２の」「第３の」は単に便宜上付したにすぎないものといえるから、両者は、
「原稿の画像を読取る画像読取手段と、画像データに基づいて画像を形成する画像形成手段と、表示装置と、操作部とを有する画像形成装置であって、前記操作部からユーザコードが入力された後、入力されたユーザコードと対応させて、画面情報を登録する手段と、前記操作部からユーザコードが入力された場合に、前記表示装置に、そのユーザコードと対応して登録されている情報に従った操作画面を表示させる手段とを設ける画像形成装置。」である点で実質的に一致し、次の点で実質的に相違しているものと認められる。
ａ　本願補正発明は、「各種設定を受け付けるための操作画面として、基本画面か応用画面のいずれの画面を前記表示装置に表示させるかをユーザコード毎に個別に登録する手段」を有するものであるところ、刊行物発明は、この点明確でない点。
ｂ　本願補正発明は、「（画面情報を登録する）手段が、既に対応する画面情報が登録済みのユーザコードについてその登録済みの画面情報の変更を行う場合に、その登録済みの画面情報ではなく前記基本画面を基に前記追加するキーの選択を受け付ける手段」を有するものであるのに対し、刊行物発明は、そのようなものではない点。
ｃ　画面情報を登録する手段について、本願補正発明は、基本画面に追加するキーが選択された場合に、前記選択されたキーが追加された基本画面を表示させるものであるのに対し、刊行物発明は、そのようなものでない点。
　
イ　相違点についての検討
　相違点ａについて
　上記２（２）ア（ウ）によれば、刊行物１のものは、表示カテゴリーは、コピー画面でも、基本コピー画面、お好みコピー画面、及びコピー機能一覧画面の３つの種類の画面があるため、そのうちのどの種類のコピー画面を初期画面として表示するかを割り当て、すなわち、初期画面管理テーブル９ｃには、各識別コードに対応した初期画面が予め設定されているものであり、各識別コード（本願補正発明の各「ユーザコード」に相当）に対応した初期画面が予め設定されているのであるから、相違点ａにつき示唆があるといえる。
　そして、刊行物２発明は、画像形成内容やユーザの習熟度に合った機能設定を行なえるようにすることを目的とし、画像形成装置において、ユーザを識別するためのユーザコードを設定する手段と、該手段によって設定された各ユーザコード毎に前記簡易画面又は前記標準画面のいずれか一方の表示画面を設定する手段とを設けており、そのユーザコードに対して設定された表示画面を初期画面として前記表示手段に表示させる手段とを設けたことを特徴とする画像形成装置であって、入力されたユーザコードを設定した後、簡易画面又は標準画面のいずれか一方の表示画面を初期画面として設定し、ユーザコード入力画面の表示時に、ユーザがテンキー２３２によってユーザコードを入力し、エンタキー２９５を押下すると、制御部は初期画面表示処理を行なうものである。
　してみれば、刊行物１のものに刊行物２のものを適用して、「各種設定を受け付けるための操作画面として、基本画面か応用画面のいずれの画面を前記表示装置に表示させるかをユーザコード毎に個別に登録する手段」を有するようにすることは、当業者にとって容易に推考できたものであり、また、上記相違点に基づく本願補正発明の効果に格別顕著なものがあるともいえない。
　相違点ｂについて
　工場出荷時設定等初期の設定に戻して設定をやり直すことは普通に行われる常套技術にすぎず、適宜採用できる程度のことといえる。してみれば、画像形成装置において、「既に対応する画面情報が登録済みのユーザコードについてその登録済みの画面情報の変更を行う場合に、その登録済みの画面情報ではなく前記基本画面を基に前記追加するキーの選択を受け付ける手段」を有することは当業者が適宜なし得る程度のことといえ、また、上記相違点に基づく本願補正発明の効果に格別顕著なものがあるともいえない。
　相違点ｃについて
　刊行物発明においては、表示カテゴリーは、コピー画面でも、基本コピー画面、お好みコピー画面、及びコピー機能一覧画面の３つの種類の画面があるため、そのうちのどの種類のコピー画面を初期画面として表示するか選択できるものであり、識別コードのユーザによってカスタマイズされた初期画面が該識別コードに対応して表示されるので、初期画面をカスタマイズしておくことにより、個別的な対応を行うことができるものであるところ、基本画面に追加するキーが選択された場合に、前記選択されたキーが追加された基本画面とする形でカスタマイズすることも適宜なし得る。
　
　そして、これら相違点を総合的に考慮しても当業者が推考し難い格別のものであるとすることはできず、また本願補正発明の効果についてみても、上記構成の採用に伴って当然に予測される程度のものにすぎず、格別顕著なものがあるともいえない。
　したがって、本願補正発明は、刊行物１ないし２に記載された発明及び常套技術に基づいて、当業者が容易に発明をすることができたものであるから、特許法第２９条第２項の規定により特許出願の際独立して特許を受けることができないものである。
　
（４）むすび
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　平成１８年６月２２日付けの手続補正は上記のとおり却下されたので、本願の請求項１ないし３に係る発明は、平成１８年２月２７日付け手続補正により補正された明細書の特許請求の範囲の請求項１ないし３に記載された事項により特定されるものと認められるところ、請求項１に係る発明（以下、「本願発明」という）は以下のとおりのものである。
「原稿の画像を読取る画像読取手段と、画像データに基づいて画像を形成する画像形成手段と
、表示装置と、操作部とを有する画像形成装置
　
各種設定を受け付けるための
ユーザコード毎に個別に登録
　
前記操作部からユーザコードが入力された後、基本画面に追加するキーが選択された場合に、入力されたユーザコードと対応させて、前記選択されたキーが追加された基本画面を表示させるための情報を登録する手段と、
　
前記操作部からユーザコードが入力された場合に、前記表示装置に、そのユーザコードと対応して登録されている情報に従った操作画面を表示させる手段と
　
（１）刊行物
　原審拒絶理由に引用された刊行物、および、その記載事項は、前記「２．（２）」に記載したとおりである。
　
（２）対比・判断
　本願発明は、前記２．で検討した本願補正発明から限定事項である構成を省いたものである。
　そうすると、本願発明の特定事項を全て含み、さらに他の特定事項を付加したものに相当する本願補正発明が、前記「２．（３）」に記載したとおり、刊行物１ないし２に記載された発明及び常套技術に基づいて、当業者が容易に発明をすることができたものであるから、本願発明も、同様の理由により、刊行物１ないし２に記載された発明及び常套技術に基づいて、当業者が容易に発明をすることができたものである。
　
（３）むすび
　したがって、本願発明は、刊行物１ないし２に記載された発明及び常套技術に基いて当業者が容易に発明をすることができたものであるので、本願は、特許法第２９条第２項の規定により特許を受けることができない。
　よって、結論のとおり審決する。